(57)【特許請求の範囲】
【請求項１】
遊技によって獲得された遊技媒体を計数する計数装置であって、
遊技客が遊技台における遊技を終了する際に該遊技台に併設された台間装置により遊技台に係る台情報が記録された従業員用の記録媒体を受け付けた場合に、該従業員用の記録媒体に記録された遊技台に係る台情報を受け付ける受付手段と、
前記受付手段によって受け付けられた従業員用の記録媒体に記録された台情報に基づいて当該遊技台において遊技客が獲得した遊技媒体数を取得する取得手段と、
遊技客が所持する遊技媒体を計数する計数手段と、
前記取得手段によって取得された遊技媒体数と前記計数手段によって計数された遊技媒体数との差が一定範囲を超えるか否かを判定する判定手段と、
前記判定手段による判定の結果、遊技媒体数の差が一定範囲を超える場合に、不正の可能性がある旨を報知する報知手段と
を有することを特徴とする計数装置。
【請求項２】
前記受付手段によって受け付けられた従業員用の記録媒体を認証する認証手段をさらに有することを特徴とする請求項１記載の計数装置。
【請求項３】
前記取得手段は、
前記認証手段によって従業員用の記録媒体が認証された場合に、台情報に基づく遊技媒体数を取得することを特徴とする請求項２記載の計数装置。
【請求項４】
前記台情報は、遊技台を特定可能な識別情報であり、
前記取得手段は、
前記台情報に基づいて遊技客が投資した遊技媒体数及び遊技客へ払い出された遊技媒体数を含む台データを外部から受信する受信手段と、
前記受信手段によって受信された台データから前記遊技台において遊技客が獲得した遊技媒体数を算出する算出手段とを有する
ことを特徴とする請求項１、２または３に記載の計数装置。
【発明の詳細な説明】
【技術分野】
【０００１】
本発明は、遊技によって獲得された遊技媒体を計数する計数装置に関し、特に、遊技店のサービスを低下させることなく、かつ効率的に不正を防止することができる計数装置に関する。 
【背景技術】
【０００２】
従来、パチンコ店などの遊技店においては、遊技客が打ち込んだ玉数や遊技客へ払いだされた玉数などの台データがパチンコ台ごとに管理され、遊技店の収支管理などに供されている。最近では、大当たりラウンド総数が異なる２種類の大当たりがあるパチンコ台などが導入されつつあるため、より正確に台データを記録するため、大当たりラウンド総数別に出玉を管理することなどが検討されている（例えば特許文献１参照）。 
【０００３】
このような台データは、遊技客の台選びの参考となるように、一部のデータがサービスとして公開されることがある。また、他店からの玉の持ち込みや拾った玉の計数などの不正を防止するためにも用いられる。具体的には、遊技客がパチンコ台における遊技を終了する際、獲得された玉を計数する従業員がこのパチンコ台について記録されている出玉数を遊技フロアとは別の事務所などにいる従業員へ無線通信機などを用いて問い合わせ、計数機における計数結果との差が一定範囲内に収まっているか確認することなどが行われている。
【先行技術文献】
【特許文献】
【０００４】
【特許文献１】特開２００６−９４９６０号公報
【発明の概要】
【発明が解決しようとする課題】
【０００５】
しかしながら、このような不正防止は効率が悪いとともに、従業員が出玉数の問い合わせをしている時間などは遊技客が待たされることになり、サービスの低下が生じる。すなわち、上述のような不正防止を実行するためには、遊技フロアで遊技客の玉を計数する従業員の他に、常に事務所などにも従業員を配置し、遊技フロアの従業員から伝えられた台番号に対応する出玉数をホールコンピュータを操作して確認する必要があるため、人手を要するとともに時間がかかる。 
【０００６】
一方で、他店からの玉の持ち込みや拾った玉の計数などの不正を無視すれば、遊技店の売上に悪影響を及ぼすため、これらの不正が行われないよう、厳しく監視することが望まれている。なお、これらの問題は、遊技媒体としてメダルを用いるパチスロにおいても同様に発生し得る。 
【０００７】
本発明はかかる点に鑑みてなされたものであり、遊技店のサービスを低下させることなく、かつ効率的に不正を防止することができる計数装置を提供することを目的とする。 
【課題を解決するための手段】
【０００８】
上記課題を解決するために、本発明は、遊技によって獲得された遊技媒体を計数する計数装置であって、遊技客が遊技台における遊技を終了する際に該遊技台に併設された台間装置により遊技台に係る台情報が記録された従業員用の記録媒体を受け付けた場合に、該従業員用の記録媒体に記録された遊技台に係る台情報を受け付ける受付手段と、前記受付手段によって受け付けられた従業員用の記録媒体に記録された台情報に基づいて当該遊技台において遊技客が獲得した遊技媒体数を取得する取得手段と、遊技客が所持する遊技媒体を計数する計数手段と、前記取得手段によって取得された遊技媒体数と前記計数手段によって計数された遊技媒体数との差が一定範囲を超えるか否かを判定する判定手段と、前記判定手段による判定の結果、遊技媒体数の差が一定範囲を超える場合に、不正の可能性がある旨を報知する報知手段とを有することを特徴とする。
【０００９】
また、本発明は、上記発明において、前記受付手段によって受け付けられた従業員用の記録媒体を認証する認証手段をさらに有することを特徴とする。 
【００１０】
また、本発明は、上記発明において、前記取得手段は、前記認証手段によって従業員用の記録媒体が認証された場合に、台情報に基づく遊技媒体数を取得することを特徴とする。
【００１１】
また、本発明は、上記発明において、前記台情報は、遊技台を特定可能な識別情報であり、前記取得手段は、前記台情報に基づいて遊技客が投資した遊技媒体数及び遊技客へ払い出された遊技媒体数を含む台データを外部から受信する受信手段と、前記受信手段によって受信された台データから前記遊技台において遊技客が獲得した遊技媒体数を算出する算出手段とを有することを特徴とする。
【発明の効果】
【００１２】
本発明によれば、計数装置は、遊技客が遊技台における遊技を終了する際に該遊技台に併設された台間装置により遊技台に係る台情報が記録された従業員用の記録媒体を受け付けた場合に、該従業員用の記録媒体に記録された遊技台に係る台情報を受け付け、受け付けられた記録媒体に記録された台情報に基づいて遊技台において遊技客が獲得した遊技媒体数を取得し、遊技客が所持する遊技媒体を計数し、取得された遊技媒体数と計数された遊技媒体数との差が一定範囲を超えるか否かを判定し、遊技媒体数の差が一定範囲を超える場合に、不正の可能性がある旨を報知する。このため、データ上の獲得遊技媒体数と実際の計数結果とを比較して不正を防止することができる。さらに、データ上の獲得遊技媒体数を取得するためにデータを管理しているホールコンピュータなどに従業員を配置しなくても、迅速に遊技媒体数の比較を行うことができる。結果として、遊技店のサービスを低下させることなく、かつ効率的に不正を防止することができる。
【００１３】
また、本発明によれば、受け付けられた従業員用の記録媒体を認証し、記録媒体が認証された場合に、台情報に基づく遊技媒体数を取得するため、例えば従業員のように正規の記録媒体を所持していなければ計数装置の処理を続行させることができず、計数時の遊技客による不正を防止することができる。
【００１４】
また、本発明によれば、遊技台を特定可能な識別情報である台情報に基づいて遊技客が投資した遊技媒体数及び遊技客へ払い出された遊技媒体数を含む台データを外部から受信し、受信された台データから遊技台において遊技客が獲得した遊技媒体数を算出するので、算出した遊技媒体数と計数された遊技媒体数とを比較して不正を防止することができる。
【図面の簡単な説明】
【００１５】
【図１】実施の形態１に係る遊技店の概略構成を示す図である。
【図２−１】実施の形態１に係る台データの一例を示す図である。
【図２−２】実施の形態１に係る差玉履歴の一例を示す図である。
【図３】実施の形態１に係る台間装置の要部構成を示すブロック図である。
【図４】実施の形態１に係る計数装置の要部構成を示すブロック図である。
【図５】実施の形態１に係る遊技媒体計数システムの動作を示すシーケンス図である。
【図６】実施の形態２に係る台間装置の要部構成を示すブロック図である。
【図７】実施の形態２に係る計数装置の要部構成を示すブロック図である。
【図８】実施の形態２に係る遊技媒体計数システムの動作を示すシーケンス図である。
【図９】実施の形態３に係る台間装置の要部構成を示すブロック図である。
【図１０】実施の形態３に係る遊技媒体計数システムの動作を示すシーケンス図である。
【発明を実施するための形態】
【００１６】
以下、本発明の実施の形態について、図面を参照して詳細に説明する。なお、以下で説明する遊技店においては、遊技で獲得された玉やメダルなどを使用して他の台で遊技を行う、いわゆる「台移動」が禁止されているものとする。 
【００１７】
（実施の形態１）
図１は、本発明の実施の形態１に係る遊技店の概略構成を示すブロック図である。同図に示す遊技店は、ホールコンピュータ１０、島コントローラ２０、計数装置３０、台間装置４０、およびパチンコ台５０を有している。 
【００１８】
ホールコンピュータ１０は、遊技店全体を統括管理しており、特に店内のすべてのパチンコ台５０について、打ち込まれた玉（以下「打込玉」という）や払い出された玉（以下「払出玉」という）などの台データ１１を記憶している。具体的には、ホールコンピュータ１０は、例えば図２−１に示すような台データ１１を記憶している。すなわち、打込玉、払出玉、打込玉と払出玉の差玉、および差玉履歴を台番号に対応付けて記憶している。差玉は、打込玉から払出玉を減算したものであるため、差玉が正の値であれば遊技店に利益が生じており、差玉が負の値であれば遊技客に利益が生じている。 
【００１９】
また、差玉履歴は、差玉の時間推移を示しており、拡大すると例えば図２−２に示すようになっている。図２−２において、黒い三角形の印は、後述するように、台間装置４０または計数装置３０から遊技終了通知を受け取った時点を示しており、この時点で遊技客が遊技を終了し、遊技によって獲得した玉が計数されたことを示している。この図２−２に示す差玉履歴において、グラフが紙面上方の打込側へ伸びている間は、賞球が払い出されず遊技店が優勢となっていることを示し、グラフが紙面下方の払出側へ伸びている間は、賞球が払い出され遊技客が優勢となっていることを示している。また、遊技終了通知を受け取った直近の時点から現在までの間で、紙面上方の打込側へ突出する最も高いピークの差玉から現在の差玉を減算すると、現在遊技客が所持しているおおよその出玉数が得られる。 
【００２０】
再び図１の説明に戻って、島コントローラ２０は、「島」と呼ばれる単位ごとに複数の台間装置４０およびパチンコ台５０を管理し、台間装置４０やパチンコ台５０とホールコンピュータ１０との間の台データなどの情報のやり取りを中継する。 
【００２１】
計数装置３０は、遊技客がパチンコ台５０において獲得した出玉を計数し、計数結果が記録されたレシートを発行する。このとき、計数装置３０は、遊技店の従業員のみが所持する従業員用のＩＣカードを認識して、計数を行うのが正規の従業員であることを認証した上で出玉の計数を実行する。さらに、計数装置３０は、出玉が獲得されたパチンコ台５０の出玉データを従業員用のＩＣカードから取得し、出玉データと計数結果を比較して、両者の差が一定範囲を超えている場合は、不正が行われた可能性がある旨を表示する。 
【００２２】
台間装置４０は、併設されたパチンコ台５０の遊技客による現金の投入を受け付け、投入金額に応じて遊技媒体である玉の貸出処理を行う。台間装置４０は、玉の貸出処理中は、投入金額の残高を内部に挿入されたＩＣカードに記録し、遊技終了時に遊技客が精算可能なようにしておく。また、台間装置４０は、遊技客の遊技終了時に従業員用のＩＣカードが受け付けられると、ホールコンピュータ１０へ遊技終了通知を送信するとともに、併設されたパチンコ台５０の台データをホールコンピュータ１０から取得し、従業員用のＩＣカードに記録する。 
【００２３】
パチンコ台５０は、それぞれ台間装置４０に併設され、遊技客が台間装置４０によって貸出処理された玉を盤面へ打ち込んで遊技を行う遊技台である。パチンコ台５０に打ち込まれた玉が盤面の所定の入賞口などに進入したり、盤面に配設された液晶画面などに所定の図柄が揃ったりすると、賞球が払い出される。これらの打込玉および払出玉などの台データは、パチンコ台５０から島コントローラ２０経由でホールコンピュータ１０へ報告され、ホールコンピュータ１０によって記憶される。 
【００２４】
図３は、本実施の形態に係る台間装置４０の要部構成を示すブロック図である。図３に示す台間装置４０は、ＩＣカード受付部４０１、種別判定部４０２、台データ取得部４０３、出玉データ記録部４０４、現金投入部４０５、貸出処理部４０６、および残高記録部４０７を有している。 
【００２５】
ＩＣカード受付部４０１は、投入金額の精算のために残高が記録される通常のＩＣカードおよび従業員が所持する従業員用のＩＣカードを受け付ける。なお、ＩＣカード受付部４０１は、通常のＩＣカードと従業員用のＩＣカードを別々に受け付けるようにしても良い。すなわち、ＩＣカード受付部４０１は、通常のＩＣカードを挿入可能な挿入口と、従業員用のＩＣカードがかざされたことを検知するセンサとを別々に有していても良い。 
【００２６】
種別判定部４０２は、ＩＣカード受付部４０１において受け付けられたＩＣカードの種別が通常のＩＣカードであるか従業員用のＩＣカードであるかを判定する。種別判定部４０２は、ＩＣカード受付部４０１において通常のＩＣカードと従業員用のＩＣカードとが別々に受け付けられる場合は、ＩＣカード受付部４０１に従業員用のＩＣカードが受け付けられたことを検知し、その旨を台データ取得部４０３へ通知する。 
【００２７】
台データ取得部４０３は、ＩＣカード受付部４０１に受け付けられたＩＣカードが従業員用のＩＣカードである場合に、ホールコンピュータ１０へ遊技終了通知を送信するとともに、台間装置４０に併設されたパチンコ台５０の台データをホールコンピュータ１０から取得する。 
【００２８】
出玉データ記録部４０４は、台データ取得部４０３によって取得された台データの差玉履歴を参照し、前回の遊技終了通知の時点から現在までの間で最も打込側（図２−２では上方）へ突出するピークの差玉から現在の差玉を減算しておおよその出玉数を算出し、出玉データとしてＩＣカード受付部４０１に受け付けられた従業員用のＩＣカードに記録する。 
【００２９】
現金投入部４０５は、遊技客が投入する現金を受け付け、投入金額を貸出処理部４０６へ通知する。 
【００３０】
貸出処理部４０６は、ＩＣカード受付部４０１に受け付けられたＩＣカードが通常のＩＣカードである場合に、現金投入部４０５から通知された投入金額を上限として玉の貸出処理を行い、パチンコ台５０へ玉の貸出を指示する。この指示を受けて、パチンコ台５０から実際の玉が貸し出される。また、貸出処理部４０６は、現金投入部４０５から通知された投入金額の残高を貸出処理のたびに更新し、残高記録部４０７へ通知する。 
【００３１】
残高記録部４０７は、貸出処理部４０６から通知される残高をＩＣカード受付部４０１に受け付けられた通常のＩＣカードに記録する。遊技客は、このＩＣカードを図示しない精算装置へ挿入することにより、投入金額のうち貸出処理に未使用の残高を精算することができる。 
【００３２】
図４は、本実施の形態に係る計数装置３０の要部構成を示すブロック図である。図４に示す計数装置３０は、ＩＣカード受付部３０１、認証部３０２、出玉データ取得部３０３、玉投入部３０４、計数部３０５、比較部３０６、表示部３０７、およびレシート発行部３０８を有している。 
【００３３】
ＩＣカード受付部３０１は、従業員用のＩＣカードを受け付け、ＩＣカードが受け付けられたことが検知されると、その旨を認証部３０２へ通知する。 
【００３４】
認証部３０２は、ＩＣカード受付部３０１に受け付けられたＩＣカードが正規の従業員用のＩＣカードであることを認証し、正規の従業員用のＩＣカードであると認証された場合は、その旨を出玉データ取得部３０３および計数部３０５へ通知する。 
【００３５】
出玉データ取得部３０３は、ＩＣカード受付部３０１に受け付けられたＩＣカードが認証部３０２によって認証されたと通知されると、この従業員用のＩＣカードに記録された出玉データを取得し、比較部３０６へ出力する。 
【００３６】
玉投入部３０４は、従業員が投入する玉を受け付け、受け付けられた玉を計数部３０５へ移送する。 
【００３７】
計数部３０５は、ＩＣカード受付部３０１に受け付けられたＩＣカードが認証部３０２によって認証されたと通知されると、玉投入部３０４から移送される玉を計数し、計数結果を比較部３０６へ出力する。 
【００３８】
比較部３０６は、出玉データ取得部３０３から出力される出玉データと計数部３０５から出力される計数結果とを比較し、両者の差が一定範囲内であるか否かを判定する。そして、比較部３０６は、計数結果とともに判定の結果を表示部３０７へ出力する。 
【００３９】
表示部３０７は、比較部３０６から出力される計数結果および判定の結果を表示する。具体的には、表示部３０７は、計数結果の玉数を表示するとともに、この計数結果が出玉データと大幅に異なっている場合は不正の可能性がある旨を表示する一方、計数結果が出玉データとほぼ等しい場合は不正がない旨を表示する。 
【００４０】
レシート発行部３０８は、表示部３０７に不正がない旨が表示された場合に、計数結果が記録されたレシートを発行する。また、レシート発行部３０８は、表示部３０７に不正の可能性がある旨が表示された場合でも、不正がないことが遊技客から直接確認されれば、従業員によって所定の操作が行われることにより、計数結果が記録されたレシートを発行する。 
【００４１】
次いで、上記のように構成された台間装置４０および計数装置３０の遊技客の遊技終了時における動作について、図５に示すシーケンス図を参照しながら説明する。 
【００４２】
遊技終了時、遊技によって玉を獲得した遊技客は、着席していたパチンコ台５０へ従業員を呼んで出玉の計数を依頼する。依頼を受けた従業員は、パチンコ台５０に併設された台間装置４０のＩＣカード受付部４０１に所持している従業員用のＩＣカードをかざす（または挿入する）。そして、ＩＣカード受付部４０１によってＩＣカードが受け付けられると（ステップＳ１０１）、種別判定部４０２によって、ＩＣカード受付部４０１に従業員用のＩＣカードが受け付けられたことが検知され、その旨が台データ取得部４０３へ通知される。 
【００４３】
ＩＣカード受付部４０１に従業員用のＩＣカードが受け付けられたということは、遊技客が遊技を終了することを意味しているため、台データ取得部４０３によって、遊技終了通知がホールコンピュータ１０へ送信され、同時に台間装置４０に併設されたパチンコ台５０の台データが問い合わせられる（ステップＳ１０２）。遊技終了通知がホールコンピュータ１０によって受け取られると、上述したように、台データ１１の差玉履歴において遊技客が遊技を終了したことを示す印が付与される。この時点では、遊技を終了した遊技客以外の遊技客がパチンコ台５０で新たに遊技を開始していることがないため、差玉履歴において遊技客が交代したタイミングを正確に残しておくことができる。結果として、差玉履歴から出玉数を算出する際、実際に遊技客が獲得した出玉数との誤差を低減することができる。 
【００４４】
また、台データ取得部４０３によって台データが問い合わせられると、ホールコンピュータ１０は、問い合わせを発した台間装置４０に併設されたパチンコ台５０の台データを台間装置４０へ送信する（ステップＳ１０３）。ホールコンピュータ１０から送信された台データが台データ取得部４０３によって取得されると、出玉データ記録部４０４によって、台データ中の差玉履歴からおおよその出玉数が算出され、ＩＣカード受付部４０１に受け付けられた従業員用のＩＣカードに出玉データとして記録される（ステップＳ１０４）。すなわち、出玉データ記録部４０４によって、差玉履歴における前回の遊技終了通知の時点から現在までの間で最も打込側（図２−２では上方）へ突出するピークの差玉から現在の差玉が減算され、得られたおおよその出玉数が従業員用のＩＣカードに記録される。このとき、出玉数は、台間装置４０とホールコンピュータ１０との間の通信によって得られるため、ホールコンピュータ１０側には従業員は不要であり、人手を省くことができるとともに、出玉数を記録するのに要する処理時間も短時間で済む。 
【００４５】
こうしておおよその出玉数が記録された従業員用のＩＣカードは、従業員によって出玉とともに計数装置３０へ運ばれ（ステップＳ１０５）、計数装置３０のＩＣカード受付部３０１によって受け付けられる（ステップＳ１０６）。そして、認証部３０２によって、ＩＣカード受付部３０１に受け付けられたＩＣカードが正規の従業員用のＩＣカードであることが認証され（ステップＳ１０７）、その旨が出玉データ取得部３０３および計数部３０５へ通知される。ここで、もしＩＣカード受付部３０１に受け付けられたＩＣカードが正規の従業員用のＩＣカードでなければ、このＩＣカードが認証部３０２によって認証されることはなく、計数装置３０による以降の処理は実行されない。 
【００４６】
認証部３０２によって従業員用のＩＣカードが認証されると、従業員によって玉投入部３０４へ出玉が投入され、ここではＩＣカードが認証された旨が計数部３０５へ通知されているため、玉投入部３０４に投入された玉が計数部３０５によって計数される（ステップＳ１０８）。上述のように、従業員用のＩＣカードが認証部３０２によって認証されていなければ、玉投入部３０４に出玉が投入されても計数部３０５による玉の計数が行われない。また、玉投入部３０４にシャッターを設けておき、認証部３０２によってＩＣカードが認証されない限りはシャッターが開かず、玉投入が不可能な構成にしても良い。 
【００４７】
一方、ＩＣカードが認証された旨が出玉データ取得部３０３へ通知されると、出玉データ取得部３０３によって、ＩＣカード受付部３０１に受け付けられた従業員用のＩＣカードから出玉データが取得される。この出玉データは、台間装置４０において差玉履歴から算出されたおおよその出玉数であり、出玉データ取得部３０３によってＩＣカードから取得されると、比較部３０６によって、出玉データの出玉数と計数部３０５による実際の計数結果とが比較される（ステップＳ１０９）。ここで、遊技客が他店から持ち込んだ玉や拾った玉を出玉に加えるなどの不正を行っておらず、かつ、他のパチンコ台５０における遊技で獲得された出玉を持ってパチンコ台を変更する台移動を行っていなければ、出玉データの出玉数と計数結果とはほぼ一致するはずである。 
【００４８】
そこで、比較部３０６によって、出玉データの出玉数と計数結果との差が一定範囲内に収まるか否かが判定され、この判定の結果が計数結果とともに表示部３０７へ出力される。そして、表示部３０７によって、不正が行われた可能性がある旨または不正がない旨の判定の結果と計数結果とが表示される。具体的には、出玉データの出玉数と計数結果との差が一定範囲内に収まっていなければ、不正が行われた可能性がある旨および計数結果が表示部３０７に表示され、出玉データの出玉数と計数結果との差が一定範囲内に収まっていれば、不正がない旨および計数結果が表示部３０７に表示される。 
【００４９】
そして、表示部３０７によって不正がない旨および計数結果が表示された場合は、計数結果が表示部３０７からレシート発行部３０８へ出力され、レシート発行部３０８によって、計数結果が記録されたレシートが発行される。また、表示部３０７によって不正が行われた可能性がある旨および計数結果が表示された場合は、この表示を目視した従業員が遊技客に対して不正の有無を直接確認する処置などが取られる。この結果、遊技客が不正を行っていないことが確認されれば、従業員が計数装置３０において所定の操作をすることにより、不正がない旨が表示された場合と同様に、レシート発行部３０８によって、計数結果が記録されたレシートが発行される。 
【００５０】
以上のように、本実施の形態によれば、遊技客の遊技終了時、ホールコンピュータに記憶された台データを台間装置が取得し、台データから算出される出玉数を台間装置において従業員用のＩＣカードに記録しておき、従業員用のＩＣカードに記録された出玉数と実際に出玉を計数装置において計数した計数結果とを比較し、両者の差が一定範囲を超えると不正が行われた可能性があると判定する。このため、台データから得られる出玉数を短時間でＩＣカードに記録して遊技客を待たせることがないとともに、ホールコンピュータ側に従業員を配置する必要がない。結果として、遊技店のサービスを低下させることなく、かつ効率的に不正を防止することができる。 
【００５１】
（実施の形態２）
本発明の実施の形態２の特徴は、台間装置において併設されたパチンコ台の台番号のみを従業員用のＩＣカードに記録し、計数装置においてＩＣカードに記録された台番号の台データを取得する点である。 
【００５２】
本実施の形態に係る遊技店の概略構成は実施の形態１（図１）と同様であるため、その説明を省略する。本実施の形態においては、台間装置４０および計数装置３０の内部構成が実施の形態１（図３および図４）と異なっている。 
【００５３】
図６は、本実施の形態に係る台間装置４０の要部構成を示すブロック図である。同図において、図３と同じ部分には同じ符号を付し、その説明を省略する。図６に示す台間装置４０は、図３に示す台間装置４０から台データ取得部４０３および出玉データ記録部４０４を削除し、台番号記録部６０１を付加した構成を採る。 
【００５４】
台番号記録部６０１は、台間装置４０に併設されるパチンコ台５０に固有の台番号を保持しており、ＩＣカード受付部４０１に受け付けられたＩＣカードが従業員用のＩＣカードである場合に、保持している台番号を従業員用のＩＣカードに記録する。 
【００５５】
図７は、本実施の形態に係る計数装置３０の要部構成を示すブロック図である。同図において、図４と同じ部分には同じ符号を付し、その説明を省略する。図７に示す計数装置３０は、図４に示す計数装置３０から出玉データ取得部３０３を削除し、台データ取得部６０２を付加した構成を採る。 
【００５６】
台データ取得部６０２は、ＩＣカード受付部３０１に受け付けられたＩＣカードが認証部３０２によって認証されたと通知されると、ホールコンピュータ１０へ遊技終了通知を送信するとともに、ＩＣカードに記録された台番号の台データをホールコンピュータ１０から取得する。そして、台データ取得部６０２は、取得された台データの差玉履歴を参照し、前回の遊技終了通知の時点から現在までの間で最も打込側（図２−２では上方）へ突出するピークの差玉から現在の差玉を減算しておおよその出玉数を算出し、比較部３０６へ出力する。 
【００５７】
次いで、上記のように構成された台間装置４０および計数装置３０の遊技客の遊技終了時における動作について、図８に示すシーケンス図を参照しながら説明する。なお、図８において、図５と同じ部分には同じ符号を付し、その詳しい説明を省略する。 
【００５８】
遊技終了時、遊技によって玉を獲得した遊技客の依頼により、従業員がかざした（または挿入した）従業員用のＩＣカードがＩＣカード受付部４０１によって受け付けられると（ステップＳ１０１）、種別判定部４０２によって、ＩＣカード受付部４０１に従業員用のＩＣカードが受け付けられたことが検知され、その旨が台番号記録部６０１へ通知される。 
【００５９】
そして、台番号記録部６０１によって、台間装置４０に併設されたパチンコ台５０の台番号がＩＣカード受付部４０１に受け付けられた従業員用のＩＣカードに記録される（ステップＳ２０１）。実施の形態１においては、ＩＣカード受付部４０１に従業員用のＩＣカードが受け付けられると、台間装置４０とホールコンピュータ１０とが通信を行い、パチンコ台５０の台データを従業員用のＩＣカードに記録していた。これに対し、本実施の形態においては、台間装置４０はホールコンピュータ１０との通信を行わず、台番号記録部６０１にあらかじめ保持されている台番号が従業員用のＩＣカードに記録されるだけであるため、台間装置４０における処理時間は実施の形態１よりも短くなる。このため、台間装置４０およびパチンコ台５０に面する狭い通路に遊技を終了した遊技客および従業員が留まる時間を短くすることができ、他の遊技客や従業員の往来を妨害する程度が軽減される。 
【００６０】
こうして台番号が記録された従業員用のＩＣカードは、従業員によって出玉とともに計数装置３０へ運ばれ（ステップＳ１０５）、計数装置３０のＩＣカード受付部３０１によって受け付けられ（ステップＳ１０６）、認証部３０２によって正規の従業員用のＩＣカードであることが認証される（ステップＳ１０７）。そして、ＩＣカードが認証された旨は、台データ取得部６０２および計数部３０５へ通知される。 
【００６１】
ＩＣカードが認証された旨が台データ取得部６０２へ通知されると、台データ取得部６０２によって、遊技終了通知がホールコンピュータ１０へ送信され、同時に従業員用のＩＣカードに記録された台番号に対応する台データが問い合わせられる（ステップＳ２０２）。遊技終了通知がホールコンピュータ１０によって受け取られると、上述したように、台データ１１の差玉履歴において遊技客が遊技を終了したことを示す印が付与される。 
【００６２】
本実施の形態においては、遊技客がパチンコ台５０を離れてから遊技終了の印が付与されるまでの間に他の遊技客が新たに遊技を開始している場合があると考えられるが、この時間はそれほど長くなく、実施の形態１と比べても遊技客が交代したタイミングの誤差は無視できるほど小さい。また、例えば台間装置４０の台番号記録部６０１によってＩＣカードに台番号が記録されると同時に、遊技終了通知がホールコンピュータ１０へ送信されるようにしておいても良い。この場合でも、本実施の形態ではホールコンピュータ１０からの返信を待機する必要がないため、台間装置４０における処理時間を短縮することができる。 
【００６３】
また、台データ取得部６０２によって台データが問い合わせられると、ホールコンピュータ１０は、台番号に対応する台データを計数装置３０へ送信する（ステップＳ２０３）。ホールコンピュータ１０から送信された台データが台データ取得部６０２によって取得されると、台データ取得部６０２によって、台データ中の差玉履歴からおおよその出玉数が算出され、比較部３０６へ出力される。このとき、出玉数は、計数装置３０とホールコンピュータ１０との間の通信によって得られるため、ホールコンピュータ１０側には従業員は不要であり、人手を省くことができるとともに、出玉数を算出するのに要する処理時間も短時間で済む。 
【００６４】
一方、認証部３０２によるＩＣカードの認証後、従業員によって玉投入部３０４へ出玉が投入され、計数部３０５によって計数される（ステップＳ１０８）。上述のように、従業員用のＩＣカードが認証部３０２によって認証されていなければ、玉投入部３０４に出玉が投入されても計数部３０５による玉の計数が行われない。計数部３０５によって玉が計数されると、台データ取得部６０２から出力された出玉数と計数部３０５による実際の計数結果とが比較される（ステップＳ１０９）。ここで、遊技客が他店から持ち込んだ玉や拾った玉を出玉に加えるなどの不正を行っておらず、かつ、他のパチンコ台５０における遊技で獲得された出玉を持ってパチンコ台を変更する台移動を行っていなければ、台データから得られた出玉数と計数結果とはほぼ一致するはずである。 
【００６５】
そこで、比較部３０６によって、台データから得られた出玉数と計数結果との差が一定範囲内に収まるか否かが判定され、この判定の結果が計数結果とともに表示部３０７に表示される。以降、実施の形態１と同様に、表示部３０７に不正がない旨が表示される場合は、レシート発行部３０８によってレシートが発行され、表示部３０７に不正が行われた可能性がある旨が表示される場合は、従業員によって直接不正の有無が確認される。 
【００６６】
以上のように、本実施の形態によれば、遊技客の遊技終了時、遊技を終了したパチンコ台の台番号を台間装置において従業員用のＩＣカードに記録しておき、従業員用のＩＣカードに記録された台番号に対応する台データを計数装置がホールコンピュータから取得し、台データから算出される出玉数と実際に出玉を計数装置において計数した計数結果とを比較し、両者の差が一定範囲を超えると不正が行われた可能性があると判定する。このため、台間装置においては台番号のみをＩＣカードに記録することになって、台間装置における処理時間をさらに短縮し、遊技客および従業員が台間装置に面する通路に留まる時間を短縮することができる。したがって、遊技を終了した遊技客および従業員が台間装置に面する通路において他の遊技客や従業員の往来を妨害する程度を軽減することができる。 
【００６７】
なお、本実施の形態においては、台間装置４０に従業員用のＩＣカードが受け付けられた時点で遊技終了通知がホールコンピュータ１０へ送信されるようにしても良く、こうすることにより、差玉履歴において遊技客が交代したタイミングを正確に記録することができる。 
【００６８】
また、ホールコンピュータ１０が遊技終了通知を受け取ると、ホールコンピュータ１０は、遊技終了通知を送信した台間装置４０に併設されるパチンコ台５０の台データを計数装置３０へあらかじめ送信しておき、計数装置３０に保持しておくことで、計数装置３０に台番号が記録されたＩＣカードが受け付けられた際には、ホールコンピュータ１０との通信を行うことなく即座に台データを得ることができる。こうすることにより、計数装置３０における待ち時間も短くすることができ、さらなるサービスの向上を図ることができる。 
【００６９】
（実施の形態３）
本発明の実施の形態３の特徴は、パチンコ台の台データを台間装置が収集することにより、ホールコンピュータを介さずに不正を防止することができる点である。 
【００７０】
本実施の形態に係る遊技店の概略構成は実施の形態１（図１）と同様であるため、その説明を省略する。また、本実施の形態に係る計数装置３０の内部構成も実施の形態１（図４）と同様であるため、その説明を省略する。本実施の形態においては、台間装置４０の内部構成のみが実施の形態１（図３）と異なっている。 
【００７１】
図９は、本実施の形態に係る台間装置４０の要部構成を示すブロック図である。同図において、図３と同じ部分には同じ符号を付し、その説明を省略する。図９に示す台間装置４０は、図３に示す台間装置４０に台データ記憶部７０１を付加するとともに、台データ取得部４０３を台データ取得部７０２に代えた構成を採る。 
【００７２】
台データ記憶部７０１は、併設されたパチンコ台５０から随時送信される打込玉や払出玉などの台データを継続的に収集し記憶する。すなわち、台データ記憶部７０１は、ホールコンピュータ１０が遊技店内のすべてのパチンコ台５０について記憶する台データと同様の情報を、台間装置４０に併設されたパチンコ台５０のみについて記憶する。 
【００７３】
台データ取得部７０２は、ＩＣカード受付部４０１に受け付けられたＩＣカードが従業員用のＩＣカードである場合に、台データ記憶部７０１へ遊技終了通知を出力するとともに、台データ記憶部７０１に記憶された台データを取得する。 
【００７４】
次いで、上記のように構成された台間装置４０および計数装置３０の遊技客の遊技終了時における動作について、図１０に示すシーケンス図を参照しながら説明する。なお、図１０において、図５と同じ部分には同じ符号を付し、その詳しい説明を省略する。 
【００７５】
本実施の形態においては、パチンコ台５０において玉が打ち込まれたり払い出されたりすると、打込玉および払出玉の情報は、パチンコ台５０からホールコンピュータ１０へ報告されるとともに、パチンコ台５０から台間装置４０へも逐一報告される（ステップＳ３０１）。パチンコ台５０から台間装置４０へ報告された打込玉および払出玉は、台データ記憶部７０１によって収集され、差玉や差玉履歴とともに台データ記憶部７０１によって記憶される。 
【００７６】
そして、遊技終了時、遊技によって玉を獲得した遊技客の依頼により、従業員がかざした（または挿入した）従業員用のＩＣカードがＩＣカード受付部４０１によって受け付けられると（ステップＳ１０１）、種別判定部４０２によって、ＩＣカード受付部４０１に従業員用のＩＣカードが受け付けられたことが検知され、その旨が台データ取得部７０２へ通知される。 
【００７７】
そして、台データ取得部７０２によって、遊技終了通知が台データ記憶部７０１へ出力され、同時に台データ記憶部７０１から台データが取得される。遊技終了通知が台データ記憶部７０１へ出力されると、台データ記憶部７０１に記憶された台データの差玉履歴において遊技客が遊技を終了したことを示す印が付与される。 
【００７８】
また、台データ取得部７０２によって台データが取得されると、出玉データ記録部４０４によって、台データ中の差玉履歴からおおよその出玉数が算出され、ＩＣカード受付部４０１に受け付けられた従業員用のＩＣカードに出玉データとして記録される（ステップＳ１０４）。このとき、
出玉数は、台間装置４０内の処理のみによって得られるため、ホールコンピュータ１０による処理が不要であり、人手を省くことができるとともに、ホールコンピュータ１０の処理負荷を軽減することができる。 
【００７９】
こうしておおよその出玉数が記録された従業員用のＩＣカードは、従業員によって出玉とともに計数装置３０へ運ばれ（ステップＳ１０５）、計数装置３０のＩＣカード受付部３０１によって受け付けられ（ステップＳ１０６）、認証部３０２によって正規の従業員用のＩＣカードであることが認証される（ステップＳ１０７）。 
【００８０】
認証部３０２によって従業員用のＩＣカードが認証されると、従業員によって玉投入部３０４へ出玉が投入され、計数部３０５によって計数される（ステップＳ１０８）。一方、ＩＣカードが認証された旨が出玉データ取得部３０３へ通知されると、出玉データ取得部３０３によって、ＩＣカード受付部３０１に受け付けられた従業員用のＩＣカードから出玉データが取得される。そして、出玉データに含まれる出玉数が比較部３０６へ出力され、比較部３０６によって、出玉データの出玉数と計数部３０５による実際の計数結果とが比較される（ステップＳ１０９）。 
【００８１】
以降、実施の形態１と同様に、比較部３０６によって、出玉データの出玉数と計数結果との差が一定範囲内に収まるか否かが判定され、不正の可能性の有無が表示部３０７に表示される。そして、表示部３０７に不正がない旨が表示される場合は、レシート発行部３０８によってレシートが発行され、表示部３０７に不正が行われた可能性がある旨が表示される場合は、従業員によって直接不正の有無が確認される。 
【００８２】
以上のように、本実施の形態によれば、台間装置が併設されるパチンコ台の台データを収集し、遊技客の遊技終了時、台間装置に記憶された台データから算出される出玉数を従業員用のＩＣカードに記録しておき、従業員用のＩＣカードに記録された出玉数と実際に出玉を計数装置において計数した計数結果とを比較し、両者の差が一定範囲を超えると不正が行われた可能性があると判定する。このため、ホールコンピュータを介することなく台データから得られる出玉数と計数結果とを比較することができ、ホールコンピュータの処理負荷を軽減することができるとともに、より迅速な処理で不正を防止することができる。 
【００８３】
なお、上記各実施の形態においては、遊技媒体として玉を用いるパチンコを例に挙げて説明したが、本発明は、遊技媒体としてメダルを用いるパチスロにも同様に適用することができる。 
【００８４】
また、上記各実施の形態においては、台間装置で従業員用のＩＣカードに出玉データまたは台番号が記録されるものとしたが、従業員が所持するのはＩＣカードに限定されず、例えばＩＣチップを内蔵するコインなどでも良く、また、携帯電話などの携帯端末装置でも良い。台間装置が携帯端末装置にデータを記録する場合は、例えば遊技客が所持する携帯端末装置にも公開可能な台データを記録することで、遊技客が遊技店以外の場所でも台データを閲覧し、遊技する台を吟味することができる。 
【産業上の利用可能性】
【００８５】
本発明は、遊技店のサービスを低下させることなく、かつ効率的に不正を防止する場合に適用することができる。 
【符号の説明】
【００８６】
３０１  ＩＣカード受付部
３０２  認証部
３０３  出玉データ取得部
３０４  玉投入部
３０５  計数部
３０６  比較部
３０７  表示部
３０８  レシート発行部
４０１  ＩＣカード受付部
４０２  種別判定部
４０３  台データ取得部
４０４  出玉データ記録部
４０５  現金投入部
４０６  貸出処理部
４０７  残高記録部
６０１  台番号記録部
６０２  台データ取得部
７０１  台データ記憶部
７０２  台データ取得部
【図１】
0005409764.tif 000002
【図２−１】
0005409764.tif 000003
【図２−２】
0005409764.tif 000004
【図３】
0005409764.tif 000005
【図４】
0005409764.tif 000006
【図５】
0005409764.tif 000007
【図６】
0005409764.tif 000008
【図７】
0005409764.tif 000009
【図８】
0005409764.tif 000010
【図９】
0005409764.tif 000011
【図１０】
0005409764.tif 000012